(57)【要約】【課題】不使用時にリーダー部材が保持部から離脱しないように構成されたケースを、金型の構成が複雑化することなく成形できるようにした記録テープカートリッジの提供を課題とする。【解決手段】記録テープＴの端部に取り付けられ、両端に鍔部３６が形成されたリーダー部材３０と、上ケース１４及び下ケース１６に形成され、開口１８の近傍でリーダー部材３０を保持する保持部４０と、を備えた記録テープカートリッジ１０において、保持部４０に、鍔部３６の内面３６Ｂ側で、かつ鍔部３６にオーバーラップする張出部４４を、アンダーカット部とならないように形成する。上ケース１４及び下ケース１６には、そのための貫通孔４２が形成される。【選択図】図５
2008186531.tif 000002
【特許請求の範囲】
【請求項１】
上ケースと下ケースとで構成され、記録テープが巻装されたリールを単一で収容するケースと、
前記記録テープの端部に直接又はリーダーテープを介して取り付けられ、両端に鍔部が形成されたリーダー部材と、
前記ケースに形成され、前記リーダー部材を引き出すための開口と、
前記上ケース及び前記下ケースに形成され、前記開口の近傍で前記リーダー部材の鍔部を保持する保持部と、
前記保持部の少なくとも一方に形成され、前記リーダー部材が該保持部に保持されたときに、前記鍔部の内面側で、該鍔部にオーバーラップする張出部と、
前記張出部が形成される前記保持部に形成され、前記リーダー部材が該保持部に保持されたときに、前記鍔部の一部が露出する貫通孔と、
を有することを特徴とする記録テープカートリッジ。
【請求項２】
前記貫通孔は、前記張出部をアンダーカット部にしないために形成されていることを特徴とする請求項１に記載の記録テープカートリッジ。
【請求項３】
前記保持部に保持された前記鍔部の周面と、前記貫通孔周りに形成され、前記周面が対向する壁面との間のクリアランスが、０．５ｍｍ未満であることを特徴とする請求項１又は請求項２に記載の記録テープカートリッジ。
【請求項４】
前記貫通孔を閉塞部材で閉塞したことを特徴とする請求項１乃至請求項３の何れか１項に記載の記録テープカートリッジ。
【発明の詳細な説明】
【技術分野】
【０００１】
本発明は、主にコンピューター等の記録再生媒体として使用される磁気テープ等の記録テープが巻装されたリールをケース内に単一で収容してなる記録テープカートリッジに関する。
【背景技術】
【０００２】
従来から、コンピューター等のデータ記録再生媒体として使用されている磁気テープ等の記録テープをリールに巻装し、そのリールを上ケースと下ケースとで構成されたケース内に単一で収容してなる記録テープカートリッジが知られている。この記録テープの先端には、ドライブ装置の引出部材が引き出すリーダー部材が固着されており、そのリーダー部材の一例としては、記録テープが直接又はリーダーテープを介して固着される本体部の両端にフランジ部を備えた略アレイ状のリーダーピンがある。
【０００３】
このリーダーピンは、開口近傍における上ケース及び下ケースに形成された凹状の保持部にフランジ部が収容され、バネ等でそのフランジ部が押さえられることにより、ケースの高さ方向を軸方向として保持される。したがって、落下等により、その開口近傍に衝撃が加えられて、上ケースと下ケースとが互いに離隔するように撓み変形する（いわゆる口開きする）と、保持部からフランジ部が外れて、リーダーピンが傾いたり、保持部から離脱するおそれがあった。
【０００４】
このような現象が起きると、ドライブ装置の引出部材がリーダーピンに対するチャック不良を起こし、システムエラーとなってしまう問題が生じる。そのため、保持部に、リーダーピンのフランジ部が係止されるアンダーカット溝、即ちフランジ部が入り込む凹溝を形成し、保持部からリーダーピンのフランジ部が外れるのを防止した記録テープカートリッジが従来に提案された（例えば、特許文献１参照）。
【０００５】
しかしながら、このようなアンダーカット溝は、金型にスライド機構を設けて成形する必要があるなど、金型の構成が複雑になったり、金型が高価になったりする問題がある。また、保持部付近の形状は複雑であるため、金型にスライド機構を設けて成形すると、形状の安定化が図り難くなり、トラブルが発生しやすくなる問題もある。
【特許文献１】特開２００１−１４８１７９号公報
【発明の開示】
【発明が解決しようとする課題】
【０００６】
そこで、本発明は、上記事情に鑑み、不使用時にリーダー部材が保持部から離脱しないように構成されたケースを、金型の構成が複雑化することなく成形できるようにした記録テープカートリッジを得ることを目的とする。
【課題を解決するための手段】
【０００７】
上記の目的を達成するために、本発明に係る請求項１に記載の記録テープカートリッジは、上ケースと下ケースとで構成され、記録テープが巻装されたリールを単一で収容するケースと、前記記録テープの端部に直接又はリーダーテープを介して取り付けられ、両端に鍔部が形成されたリーダー部材と、前記ケースに形成され、前記リーダー部材を引き出すための開口と、前記上ケース及び前記下ケースに形成され、前記開口の近傍で前記リーダー部材の鍔部を保持する保持部と、前記保持部の少なくとも一方に形成され、前記リーダー部材が該保持部に保持されたときに、前記鍔部の内面側で、該鍔部にオーバーラップする張出部と、前記張出部が形成される前記保持部に形成され、前記リーダー部材が該保持部に保持されたときに、前記鍔部の一部が露出する貫通孔と、を有することを特徴としている。
【０００８】
そして、請求項２に記載の記録テープカートリッジは、請求項１に記載の記録テープカートリッジにおいて、前記貫通孔が、前記張出部をアンダーカット部にしないために形成されていることを特徴としている。
【０００９】
請求項１及び請求項２に記載の発明によれば、落下等により、開口近傍に衝撃が加えられて、上ケースと下ケースとが互いに離隔するように撓み変形しても（いわゆる口開きしても）、リーダー部材は、張出部により、その鍔部が押さえられるので、傾いたり、保持部から離脱するおそれがない。また、この張出部は、アンダーカット部にならないように成形されるので、金型の構成が複雑化することがなく、金型が高価になることもない。
【００１０】
また、請求項３に記載の記録テープカートリッジは、請求項１又は請求項２に記載の記録テープカートリッジにおいて、前記保持部に保持された前記鍔部の周面と、前記貫通孔周りに形成され、前記周面が対向する壁面との間のクリアランスが、０．５ｍｍ未満であることを特徴としている。
【００１１】
請求項３に記載の発明によれば、貫通孔からの塵埃等の侵入を抑制することができる。
【００１２】
また、請求項４に記載の記録テープカートリッジは、請求項１乃至請求項３の何れか１項に記載の記録テープカートリッジにおいて、前記貫通孔を閉塞部材で閉塞したことを特徴としている。
【００１３】
請求項４に記載の発明によれば、貫通孔からの塵埃等の侵入を防止することができる。
【発明の効果】
【００１４】
以上のように、本発明によれば、不使用時にリーダー部材が保持部から離脱しないように構成されたケースを、金型の構成が複雑化することなく成形できる記録テープカートリッジを提供することができる。
【発明を実施するための最良の形態】
【００１５】
以下、本発明の最良な実施の形態について、図面に示す実施例を基に詳細に説明する。なお、その説明の便宜上、図１において、記録テープカートリッジ１０のドライブ装置への装填方向を矢印Ａで示し、それを記録テープカートリッジ１０の前方向（前側）とする。そして、矢印Ａと直交する矢印Ｂ方向を右方向（右側）とし、矢印Ｃ方向を上方向（上側）とする。
【００１６】
図１、図２で示すように、記録テープカートリッジ１０は、略矩形箱状のケース１２を有している。このケース１２は、ポリカーボネート（ＰＣ）等の合成樹脂製の上ケース１４と下ケース１６とが、それぞれ天板１４Ａの周縁に立設された周壁１４Ｂと、底板１６Ａの周縁に立設された周壁１６Ｂとを互いに当接させた状態で、超音波溶着やネジ止め等によって接合されて構成されている。
【００１７】
ケース１２の内部には、リール２０が１つだけ回転可能に収容される。このリール２０は、軸心部を構成する有底円筒状のリールハブ２２と、その下端部に設けられる下フランジ２６とが一体に成形され、上フランジ２４がリールハブ２２の上端部に超音波溶着されて構成されている。そして、そのリールハブ２２の外周面に、情報記録再生媒体としての磁気テープ等の記録テープＴが巻回され、上フランジ２４及び下フランジ２６によって、その巻回された記録テープＴの幅方向の端部が保持されている。
【００１８】
また、リールハブ２２の底壁２８の下面には、リールギア（図示省略）が環状に形成されており、下ケース１６の中央部には、そのリールギアを外部に露出するためのギア開口４６が穿設されている。このギア開口４６から露出されるリールギアが、ドライブ装置（図示省略）の回転シャフト（図示省略）に形成された駆動ギア（図示省略）に噛合されて回転駆動されることにより、ケース１２内において、リール２０がケース１２に対して相対回転可能とされる。
【００１９】
また、底壁２８の下面におけるリールギアの径方向内側には、磁性材より成る環状のリールプレート（図示省略）がインサート成形等により固着されており、ドライブ装置の回転シャフトに設けられた環状のマグネット（図示省略）の磁力によって吸着・保持されるようになっている。更に、リール２０は、上ケース１４及び下ケース１６の内面にそれぞれ部分的に突設されて、ギア開口４６と同軸的な円形の軌跡上にある内壁としての遊動規制壁４８によってガタつかないように保持されている。
【００２０】
また、ケース１２の右壁１２Ｂには、リール２０に巻装された記録テープＴを引き出すための開口１８が形成されており、この開口１８から引き出される記録テープＴの自由端部には、ドライブ装置の引出部材（図示省略）によって係止（係合）されつつ引き出し操作されるリーダーピン３０が、直接又はリーダーテープ（図示省略）を介して固着されている。
【００２１】
リーダーピン３０は、図３で詳細に示すように、円柱状の本体部３２と、その本体部３２の両端に、本体部３２の直径よりも大径で、かつ一体に形成された円板状のフランジ部３６と、を有しており、本体部３２には、記録テープＴが取り付けられるエリアを規定する小フランジ部３４が一体に形成されている。この小フランジ部３４の直径は、本体部３２の直径よりも大きく、かつフランジ部３６の直径と同じか、それよりも小さく形成されている。
【００２２】
そして、この小フランジ部３４は、フランジ部３６よりも薄く形成されており、小フランジ部３４とフランジ部３６との間が、ドライブ装置の引出部材のフック（図示省略）等に係止される環状溝３５とされている。この小フランジ部３４を設けることにより、記録テープＴを引き出す際に、フック等が記録テープＴに接触して傷付けることがない構成である。なお、フランジ部３６の外面３６Ａは、曲率の小さい凸曲面とされている。
【００２３】
また、ケース１２の開口１８の内側、即ち上ケース１４の天板１４Ａ内面及び下ケース１６の底板１６Ａ内面には、ケース１２内においてリーダーピン３０を位置決めして保持する上下一対の保持部４０が設けられている。この保持部４０は、図４で示すように、天板１４Ａ内面及び底板１６Ａ内面に形成され、記録テープＴの引出側が開放された平面視略「Ｕ」字状の凹部４１を有しており、直立状態のリーダーピン３０のフランジ部３６は、その開放側から凹部４１内に出入可能とされている。なお、保持部４０の構成については、後で詳述する。
【００２４】
また、図４、図５で示すように、保持部４０と前壁１２Ａとの間の上ケース１４の天板１４Ａ及び下ケース１６の底板１６Ａには、略「コ」字状とされた板バネ３８を収容する溝部３９が形成されている。つまり、板バネ３８の基部３８Ａの上下端部が、溝部３９内に固定配置されるようになっている。
【００２５】
そして、この板バネ３８の二股状の先端部３８Ｂが、リーダーピン３０の上下フランジ部３６の外周面３６Ｃにそれぞれ係合（圧接）して、リーダーピン３０を保持部４０（凹部４１）に保持するようになっている（図５参照）。なお、リーダーピン３０が保持部４０に出入する際には、板バネ３８の先端部３８Ｂは、適宜弾性変形して、リーダーピン３０の移動を許容する構成である。
【００２６】
また、開口１８は、ドア５０によって開閉される。このドア５０は、図１、図２で示すように、開口１８を閉塞可能な大きさの略矩形板状に形成され、ケース１２の右壁１２Ｂに沿って移動できるように、開口１８内側の天板１４Ａ及び底板１６Ａには、ドア５０の上下端部を摺動可能に嵌入させる溝部６４が形成されている。
【００２７】
また、ドア５０の後端部中央には、シャフト５２が突設されており、そのシャフト５２には、コイルバネ５８が挿嵌されている。そして、シャフト５２の後端には、そのコイルバネ５８を脱落防止とする拡開部５４が形成されている。また、下ケース１６には、そのシャフト５２に挿嵌されたコイルバネ５８の後端を係止する係止部６２を有する支持台６０が突設されている。
【００２８】
したがって、ドア５０は、シャフト５２が支持台６０上に摺動自在に支持されるとともに、コイルバネ５８の後端が係止部６２に係止されることにより、そのコイルバネ５８の付勢力によって、常時開口１８の閉塞方向へ付勢される構成である。なお、開口１８の開放時、シャフト５２を支持する支持台６６を支持台６０の後方側に更に突設しておくことが好ましい。
【００２９】
また、ドア５０の前端部には、開閉操作用の凸部５６が外方に向かって突設されている。この凸部５６が、記録テープカートリッジ１０のドライブ装置への装填に伴い、そのドライブ装置側の開閉部材（図示省略）と係合するようになっている。これにより、ドア５０がコイルバネ５８の付勢力に抗して開放される構成である。
【００３０】
次に、保持部４０の構成について、更に詳細に説明する。なお、保持部４０は、上下共に同じ構成であるため、主に図４、図５で示す下ケース１６側の保持部４０について説明する。保持部４０は、図４、図５で示すように、フランジ部３６の外面３６Ａ（図３参照）を保持する平面視略「Ｕ」字状の凹部４１を有しており、その凹部４１と高さ方向に所定間隔を隔てた位置には、リーダーピン３０（フランジ部３６）を保持部４０（凹部４１）に保持したときに、フランジ部３６の内面３６Ｂ側に、非接触で所定量（例えば、その内面３６Ｂの面積の３０％以上）オーバーラップする張出部４４が形成されている。
【００３１】
すなわち、凹部４１と張出部４４との間の間隔Ｗ（図１０参照）は、フランジ部３６の厚さＤ（図３参照）よりも広く形成されており、凹部４１に保持されたフランジ部３６の内面３６Ｂと張出部４４の外面４４Ｂとの間には、所定のクリアランスが形成されるようになっている。そして、張出部４４の記録テープＴの引出側略中央には、環状溝３５部分の本体部３２を許容する平面視略「Ｕ」字状の切欠部４４Ａが形成されている。
【００３２】
また、この張出部４４は、上ケース１４及び下ケース１６に一体成形されるが、成形後に、図示しない金型からの離型が不能とならないように（いわゆるアンダーカット部にならないように）、平面視又は底面視略「Ｕ」字状とされた（張出部４４の形状に合致した）可動中子（図示省略）によって成形される。したがって、上ケース１４及び下ケース１６を成形後、金型から離型する際に、その可動中子を取り除くことにより、上ケース１４及び下ケース１６には、図６（Ａ）で示すような平面視又は底面視略「Ｕ」字状の貫通孔（中子孔）４２が形成される。
【００３３】
また、上ケース１４の天板１４Ａ内面及び下ケース１６の底板１６Ａ内面の凹部４１周りで、かつ貫通孔４２周りには、フランジ部３６の外周面３６Ｃが対向（当接）する平面視略「Ｕ」字状の内壁面４３が形成されており、この内壁面４３の高さ方向先端部から記録テープＴの引出側へ張出部４４が一体に延設されている。
【００３４】
なお、貫通孔４２、内壁面４３、張出部４４の前壁１２Ａ側で、かつ開口１８側の端部は、板バネ３８の二股状の先端部３８Ｂを許容するために、それぞれ斜めに切り欠かれたような形状に形成されている。そのため、図６で示す貫通孔４２では、その一方の端部４２Ａの形状と他方の端部４２Ｂの形状とが、互いに異なる形状になるが、端部４２Ａ、４２Ｂの形状は、図示の形状に限定されるものではなく、例えば端部４２Ｂの形状を端部４２Ａの形状と同一にしてもよい。
【００３５】
また、図６（Ｂ）で示すように、リーダーピン３０（フランジ部３６）が保持部４０（凹部４１）に保持されることにより、貫通孔４２がほぼ閉塞されるが、このときのフランジ部３６の外周面３６Ｃと内壁面４３との間のクリアランスＫは、０．５ｍｍ未満とされている。
【００３６】
すなわち、張出部４４は、本体部３２を許容するために平面視略「Ｕ」字状に形成され、それに伴って貫通孔４２も平面視略「Ｕ」字状に形成されているため、貫通孔４２の他方の端部４２Ｂにおいては、フランジ部３６の外周面３６Ｃと内壁面４３との間のクリアランスＫが広く空き、貫通孔４２にフランジ部３６で閉塞され難い非閉塞部４２Ｃができるが、その非閉塞部４２Ｃにおける最大クリアランスＫが、０．５ｍｍ未満とされている。
【００３７】
ここで、そのクリアランスＫを０．５ｍｍ未満としているのは、現行の記録テープカートリッジにあって、最もクリアランスが大きいとされるドア５０と上ケース１４及び下ケース１６との間が、０．５ｍｍ程度であることによる。つまり、非閉塞部４２Ｃにおける最大クリアランスＫが、０．５ｍｍ未満であれば、現行の記録テープカートリッジと同等の防塵性を確保することができることによる。
【００３８】
なお、その防塵性を更に高めるために、図７で示すように、貫通孔４２を閉塞部材７０、例えばシール部材６８で閉塞するようにしてもよい。すなわち、上ケース１４の天板１４Ａ外面及び下ケース１６の底板１６Ａ外面に、貫通孔４２よりも面積の大きいシール部材６８を貼着して、貫通孔４２を塞ぐようにしてもよい。
【００３９】
また、図８で示すように、閉塞部材７０として、貫通孔４２を充分に閉塞可能な幅を有する細長いシール部材７２を、上ケース１４と下ケース１６とに跨るように貼着してもよい。このような構成にすれば、防塵性を高めることができるとともに、落下等により、ケース１２の開口１８近傍に衝撃が加えられたときに、上ケース１４と下ケース１６が互いに離隔するような口開き現象を抑止することができる。
【００４０】
また更に、図９で示すように、閉塞部材として、貫通孔４２を充分に閉塞可能な幅を有する略「コ」字状とされたクリップ部材７４を、上ケース１４と下ケース１６とに跨るように嵌め込んでもよい。すなわち、例えば上ケース１４の天板１４Ａ外面と下ケース１６の底板１６Ａ外面に係止凹部（図示省略）を形成し、その係止凹部にクリップ部材７４の両先端部を嵌合させるように構成してもよい。
【００４１】
このクリップ部材７４は、図８で示したシール部材７２よりも剛性が高いので、開口１８近傍におけるケース１２の剛性を向上させることができる。つまり、このような構成にすれば、防塵性を高めることができるとともに、落下等により、ケース１２の開口１８近傍に衝撃が加えられたときに、上ケース１４と下ケース１６が互いに離隔するような口開き現象と、上ケース１４及び下ケース１６の塑性変形等を共に抑止することができる。
【００４２】
また、図１０で示すように、張出部４４の切欠部４４Ａ側における周面で、かつフランジ部３６が挿入される側は、面取り加工又はフィレット加工（Ｒ加工）により、所定角度のテーパー面４４Ｃとされている。これにより、リーダーピン３０が傾いた状態で、保持部４０に戻されても（図１０（Ａ）参照）、そのフランジ部３６が張出部４４に干渉しないで（スタックしないで）収容される構成である（図１０（Ｂ）参照）。
【００４３】
つまり、これにより、リーダーピン３０は、張出部４４があっても安定して着脱可能となる構成である。なお、切欠部４４Ａ側の周面には、直線部４４Ｄを残すことが望ましい。このような直線部４４Ｄを残すと、張出部４４の強度を確保することができる（張出部４４の強度を損なわないようにできる）。
【００４４】
以上のような構成の記録テープカートリッジ１０において、次に、その作用について説明する。上記構成の記録テープカートリッジ１０では、不使用時（保管時や運搬時等、ドライブ装置に装填されないとき）には、開口１８がドア５０によって閉塞されている。そして、記録テープＴがリール２０のリールハブ２２に巻装されている。
【００４５】
記録テープＴを使用する際には、前壁１２Ａを先頭にして、記録テープカートリッジ１０を矢印Ａ方向に沿って、ドライブ装置内へ装填する。すると、まず、そのドライブ装置側に設けられた開閉部材が、ドア５０の凸部５６に係合する。そして、この状態で、記録テープカートリッジ１０が更に矢印Ａ方向へ移動すると、開閉部材が凸部５６をコイルバネ５８の付勢力に抗しつつ相対的に後方へ移動させる。すると、その凸部５６が突設されているドア５０は、右壁１２Ｂに沿って、溝部６４内を後側へ摺動し、開口１８を開放する。
【００４６】
こうして、記録テープカートリッジ１０がドライブ装置に所定深さ装填され、開口１８が完全に開放されると、記録テープカートリッジ１０は所定高さ下降し、ドライブ装置の位置決め部材（図示省略）が、下ケース１６に形成された位置決め用の穴部（図示省略）に挿入される。これにより、記録テープカートリッジ１０がドライブ装置内における所定位置に精確に位置決めされ、ドア５０のそれ以上の摺動（後方への移動）が規制される。
【００４７】
また、記録テープカートリッジ１０の下降動作によって、回転シャフトが相対的にギア開口４６から進入し、駆動ギアをリールギアに噛合させる。そして、駆動ギアとリールギアとが完全に噛合した状態で、リールプレートが、駆動ギアの内側に設けられた環状のマグネットの磁力によって吸着・保持されることにより、リール２０は、駆動ギアに対するリールギアの噛合が維持されつつ、ケース１２内で、そのケース１２に対して相対回転可能となる。
【００４８】
一方、開放された開口１８からは、ドライブ装置に設けられた引出部材がケース１２内に進入し、保持部４０に位置決め保持されたリーダーピン３０を把持して引き出す。なお、このとき、記録テープカートリッジ１０はドライブ装置内において精確に位置決めされているので、引出部材は確実にリーダーピン３０の環状溝３５にそのフックを係止させることができる。
【００４９】
こうして、開口１８から抜き出されたリーダーピン３０は、図示しない巻取リールに収容される。そして、その巻取リールとリール２０とを同期して回転駆動することにより、記録テープＴは、巻取リールに巻き取られつつ順次ケース１２から引き出され、所定のテープ経路に沿って配設された記録再生ヘッド（図示省略）によって情報の記録や再生が行われる。
【００５０】
情報の記録や再生が終了した記録テープカートリッジ１０をドライブ装置から排出する際には、まず、回転シャフトが逆回転することにより、記録テープＴがリール２０に巻き戻される。そして、記録テープＴがリール２０に最後まで巻き戻されると、リーダーピン３０が保持部４０に保持される。なお、このとき、板バネ３８の先端部３８Ｂは適宜弾性変形して、リーダーピン３０の保持部４０への収容を許容する。そして、張出部４４が、フランジ部３６の内面側で、そのフランジ部３６に平面視で所定量オーバーラップする。
【００５１】
その後、記録テープカートリッジ１０は所定高さ上昇し、位置決め部材が位置決め用の穴部から抜き出されるとともに、回転シャフトがギア開口４６から抜き出され、リールギアに対する駆動ギアの噛合が解除される。そして、記録テープカートリッジ１０は、図示しないイジェクト機構によって矢印Ａ方向とは反対方向に移動される。すると、この移動に伴って、ドア５０はコイルバネ５８の付勢力によって開口１８の閉塞方向へ摺動し、開口１８を完全に閉塞する（初期状態に復帰する）。こうして、開口１８が閉塞された記録テープカートリッジ１０は、ドライブ装置内から完全に排出される。
【００５２】
ここで更に、保持部４０の作用について説明する。図５、図８、図１０（Ｂ）等で示すように、リーダーピン３０は、本体部３２の上下両端部に設けられたフランジ部３６が、それぞれ上ケース１４の天板１４Ａ内面と張出部４４の間、及び下ケース１６の底板１６Ａ内面と張出部４４の間に入り込んだ状態で、保持部４０に保持される。したがって、開口１８付近に落下等による衝撃が加えられ、その開口１８付近が口開きするように（上ケース１４と下ケース１６が互いに離隔するように）撓み変形しようとしても、その撓み変形をリーダーピン３０によって抑制することができる。
【００５３】
つまり、開口１８付近が口開きするように撓み変形すると、リーダーピン３０のフランジ部３６の内面３６Ｂ側に、張出部４４の外面４４Ｂ側が圧接するので、その口開きを、リーダーピン３０によって抑制することができる。また、これにより、リーダーピン３０のフランジ部３６が、張出部４４によって押さえられることになるので、リーダーピン３０の保持部４０からの離脱が防止される。
【００５４】
また、ドライブ装置に装填されない不使用時において、張出部４４が、平面視略「Ｕ」字状の切欠部４４Ａによって、リーダーピン３０の本体部３２を許容するとともに、フランジ部３６の内面３６Ｂ側において、常にそのフランジ部３６に所定量オーバーラップするので、リーダーピン３０は、その傾倒が防止され、保持部４０からの離脱が防止される。したがって、図１１で示すように、リーダーピン３０（フランジ部３６）を押さえる板バネ３８を省略することができる。
【００５５】
また、ケース１２（上ケース１４及び下ケース１６）に貫通孔４２が形成されてしまうが、リーダーピン３０のフランジ部３６に非接触でオーバーラップする張出部４４は、いわゆるアンダーカット部にならないように成形される。したがって、金型にスライド機構を設ける必要がなく、金型の構成が複雑化することがない。つまり、金型の構成を簡略化することができ、金型が高価になる不具合が生じない。また、これにより、複雑な形状である保持部４０付近の形状を安定化することができ、トラブルの発生を防止することができる。
【００５６】
また、リーダーピン３０が、保持部４０に保持された状態で、そのフランジ部３６の外周面３６Ｃと、貫通孔４２周りに形成される内壁面４３との間のクリアランスＫが、０．５ｍｍ未満とされている。したがって、記録テープカートリッジ１０の防塵性を、従来と変わらずに確保することができる。
【００５７】
なお、その貫通孔４２を閉塞部材７０、即ちシール部材６８、７２やクリップ部材７４で閉塞すると、更に、その防塵性を高めることができる。特に、上ケース１４及び下ケース１６に跨って設けられるシール部材７２やクリップ部材７４の場合は、落下等により、ケース１２に衝撃が加えられることによって発生する口開き現象を抑止することができる。
【００５８】
また、張出部４４（切欠部４４Ａ）の形状は、図１〜図１１で示す形状に限定されるものではなく、切欠部４４Ａの形状を、例えば図１２で示すように、矩形状に形成したり、例えば図１３で示すように、ホームベース形状（五角形状）に形成してもよい。また、例えば図１４で示すように、開口１８側から順に矩形状と半円形状とを組み合わせたような形状にしてもよい。
【００５９】
特に、この図１４で示す張出部４４の記録テープＴの引出側両端部には、互いにリーダーピン３０（本体部３２）側へ突出する突出片４４Ｅが形成されているが、その突出片４４Ｅの互いに対向する周面と、本体部３２の周面との間には、所定のクリアランスが形成されている。また、このように、張出部４４の形状が種々変更されると、当然ながら貫通孔４２の形状も、同様の形状に種々変更されることは言うまでもない。
【００６０】
何れにしても、この張出部４４（切欠部４４Ａ）の形状は、本体部３２を許容でき、かつフランジ部３６の内面３６Ｂ側に、非接触で所定量（例えば、内面３６Ｂの３０％以上）オーバーラップできるような形状に形成されていればよい。また、張出部４４は、上ケース１４及び下ケース１６の両方に設けられることが望ましいが、上ケース１４又は下ケース１６のどちらか片方にのみ設けられていてもよい。
【００６１】
また、凹部４１の形状は、図１〜図１４で示す形状に限定されるものではなく、例えば図１５で示すように、凹部４１に曲率の小さい（フランジ部３６の外面３６Ａと同一の曲率とされた）凹曲面４１Ａを形成し、フランジ部３６の凸曲面とされた外面３６Ａを保持するように構成してもよい。これによれば、リーダーピン３０をより一層離脱防止に保持することができる。
【００６２】
また、このような構成の記録テープカートリッジ１０では、貫通孔４２からリーダーピン３０のフランジ部３６（外面３６Ａ）の一部が露出している。したがって、その記録テープカートリッジ１０をドライブ装置に装填した時点で（リーダーピン３０がケース１２から引き出される前に）、その貫通孔４２からリーダーピン３０にコンタクト（接触）することが可能となる。つまり、これによれば、記録テープカートリッジ１０をドライブ装置に装填した時点で、記録テープＴに帯電した電荷を、リーダーピン３０を介してドライブ装置側へ逃がすことが可能となる。
【図面の簡単な説明】
【００６３】
【図１】記録テープカートリッジの概略斜視図
【図２】記録テープカートリッジの概略分解斜視図
【図３】リーダーピンの概略正面図
【図４】リーダーピンを保持していない保持部を示す概略斜視図
【図５】リーダーピンを保持している保持部を示す概略斜視図
【図６】（Ａ）リーダーピンが保持されていないときの貫通孔を示す概略底面図、（Ｂ）リーダーピンが保持されているときの貫通孔を示す概略底面図
【図７】貫通孔を閉塞する閉塞部材としてのシール部材を示す概略底面図
【図８】貫通孔を閉塞する閉塞部材としてのシール部材を示す概略斜視図
【図９】貫通孔を閉塞する閉塞部材としてのクリップ部材を示す概略斜視図
【図１０】（Ａ）リーダーピンが傾いて保持部へ戻された状態を示す概略側断面図、（Ｂ）リーダーピンが保持部へ保持された状態を示す概略側断面図
【図１１】リーダーピンを押さえるバネを省略したときの保持部を示す概略斜視図
【図１２】保持部の第１変形例を示す概略斜視図
【図１３】保持部の第２変形例を示す概略斜視図
【図１４】保持部の第３変形例を示す概略斜視図
【図１５】保持部の第４変形例を示す概略正面図
【符号の説明】
【００６４】
１０  記録テープカートリッジ
１２  ケース
１４  上ケース
１６  下ケース
１８  開口
２０  リール
３０  リーダーピン（リーダー部材）
３２  本体部
３４  小フランジ部
３５  環状溝
３６  フランジ部（鍔部）
３６Ａ  外面
３６Ｂ  内面
３６Ｃ  外周面
３８  板バネ
３９  溝部
４０  保持部
４１  凹部
４２  貫通孔
４３  内壁面
４４  張出部
４４Ａ  切欠部
４４Ｂ  外面
４４Ｃ  テーパー面
４４Ｄ  直線部
４４Ｅ  突出片
５０  ドア
６８  シール部材
７０  閉塞部材
７２  シール部材
７４  クリップ部材
【図１】
2008186531.tif 000003
【図２】
2008186531.tif 000004
【図３】
2008186531.tif 000005
【図４】
2008186531.tif 000006
【図５】
2008186531.tif 000007
【図６】
2008186531.tif 000008
【図７】
2008186531.tif 000009
【図８】
2008186531.tif 000010
【図９】
2008186531.tif 000011
【図１０】
2008186531.tif 000012
【図１１】
2008186531.tif 000013
【図１２】
2008186531.tif 000014
【図１３】
2008186531.tif 000015
【図１４】
2008186531.tif 000016
【図１５】
2008186531.tif 000017
【手続補正書】
【提出日】平成20年1月11日(2008.1.11)
【手続補正１】
【補正対象書類名】特許請求の範囲
【補正対象項目名】全文
【補正方法】変更
【補正の内容】
【特許請求の範囲】
【請求項１】
上ケースと下ケースとで構成され、記録テープが巻装されたリールを単一で収容するケースと、
前記記録テープの端部に直接又はリーダーテープを介して取り付けられ、両端に鍔部が形成されたリーダー部材と、
前記ケースに形成され、前記リーダー部材を引き出すための開口と、
前記上ケース及び前記下ケースに形成され、前記開口の近傍で前記リーダー部材の鍔部を保持する保持部と、
前記保持部の少なくとも一方に形成され、前記リーダー部材が該保持部に保持されたときに、前記鍔部の内面側で、該鍔部にオーバーラップする張出部と、
前記張出部がアンダーカット部にならないようにするために前記保持部に形成され、前記リーダー部材が該保持部に保持されたときに、前記鍔部の一部が露出する貫通孔と、
を有することを特徴とする記録テープカートリッジ。
【請求項２】
前記保持部に保持された前記鍔部の周面と、前記貫通孔周りに形成され、前記周面が対向する壁面との間のクリアランスが、０．５ｍｍ未満であることを特徴とする請求項１に記載の記録テープカートリッジ。
【請求項３】
前記貫通孔を閉塞部材で閉塞したことを特徴とする請求項１又は請求項２に記載の記録テープカートリッジ。
【手続補正２】
【補正対象書類名】明細書
【補正対象項目名】０００７
【補正方法】変更
【補正の内容】
【０００７】
上記の目的を達成するために、本発明に係る請求項１に記載の記録テープカートリッジは、上ケースと下ケースとで構成され、記録テープが巻装されたリールを単一で収容するケースと、前記記録テープの端部に直接又はリーダーテープを介して取り付けられ、両端に鍔部が形成されたリーダー部材と、前記ケースに形成され、前記リーダー部材を引き出すための開口と、前記上ケース及び前記下ケースに形成され、前記開口の近傍で前記リーダー部材の鍔部を保持する保持部と、前記保持部の少なくとも一方に形成され、前記リーダー部材が該保持部に保持されたときに、前記鍔部の内面側で、該鍔部にオーバーラップする張出部と、前記張出部がアンダーカット部にならないようにするために前記保持部に形成され、前記リーダー部材が該保持部に保持されたときに、前記鍔部の一部が露出する貫通孔と、を有することを特徴としている。
【手続補正３】
【補正対象書類名】明細書
【補正対象項目名】０００８
【補正方法】変更
【補正の内容】
【０００８】
請求項１に記載の発明によれば、落下等により、開口近傍に衝撃が加えられて、上ケースと下ケースとが互いに離隔するように撓み変形しても（いわゆる口開きしても）、リーダー部材は、張出部により、その鍔部が押さえられるので、傾いたり、保持部から離脱するおそれがない。
【手続補正４】
【補正対象書類名】明細書
【補正対象項目名】０００９
【補正方法】変更
【補正の内容】
【０００９】
また、この張出部は、アンダーカット部にならないように成形されるので、金型の構成が複雑化することがなく、金型が高価になることもない。
【手続補正５】
【補正対象書類名】明細書
【補正対象項目名】００１０
【補正方法】変更
【補正の内容】
【００１０】
また、請求項２に記載の記録テープカートリッジは、請求項１に記載の記録テープカートリッジにおいて、前記保持部に保持された前記鍔部の周面と、前記貫通孔周りに形成され、前記周面が対向する壁面との間のクリアランスが、０．５ｍｍ未満であることを特徴としている。
【手続補正６】
【補正対象書類名】明細書
【補正対象項目名】００１１
【補正方法】変更
【補正の内容】
【００１１】
請求項２に記載の発明によれば、貫通孔からの塵埃等の侵入を抑制することができる。
【手続補正７】
【補正対象書類名】明細書
【補正対象項目名】００１２
【補正方法】変更
【補正の内容】
【００１２】
また、請求項３に記載の記録テープカートリッジは、請求項１又は請求項２に記載の記録テープカートリッジにおいて、前記貫通孔を閉塞部材で閉塞したことを特徴としている。
【手続補正８】
【補正対象書類名】明細書
【補正対象項目名】００１３
【補正方法】変更
【補正の内容】
【００１３】
請求項３に記載の発明によれば、貫通孔からの塵埃等の侵入を防止することができる。
【手続補正書】
【提出日】平成20年5月16日(2008.5.16)
【手続補正１】
【補正対象書類名】特許請求の範囲
【補正対象項目名】全文
【補正方法】変更
【補正の内容】
【特許請求の範囲】
【請求項１】
上ケースと下ケースとで構成され、記録テープが巻装されたリールを単一で収容するケースと、
前記記録テープの端部に直接又はリーダーテープを介して取り付けられ、両端に鍔部が形成されたリーダー部材と、
前記ケースに形成され、前記リーダー部材を引き出すための開口と、
前記上ケース及び前記下ケースに凹状に形成され、前記開口の近傍で前記リーダー部材の鍔部の外面を保持する保持部と、
前記保持部が凹状とされることで前記上ケース及び前記下ケースに形成され、前記保持部に保持された前記リーダー部材の鍔部の周面が対向する平面視略「Ｕ」字状の壁面と、
前記壁面の少なくとも一方の高さ方向先端部から前記リーダー部材引出側へ延設され、前記リーダー部材が前記保持部に保持されたときに、前記鍔部の内面側で、該鍔部に非接触でオーバーラップする張出部と、
前記張出部がアンダーカット部にならないようにするために、前記壁面よりも前記リーダー部材引出側の前記保持部に形成され、前記リーダー部材が該保持部に保持されたときに、前記鍔部の一部が露出する貫通孔と、
を有することを特徴とする記録テープカートリッジ。
【請求項２】
前記張出部の前記リーダー部材引出側の内面が、面取り加工又はフィレット加工されていることを特徴とする請求項１に記載の記録テープカートリッジ。
【請求項３】
前記張出部の前記リーダー部材引出側の周面に、直線部が形成されていることを特徴とする請求項２に記載の記録テープカートリッジ。
【手続補正２】
【補正対象書類名】明細書
【補正対象項目名】０００７
【補正方法】変更
【補正の内容】
【０００７】
上記の目的を達成するために、本発明に係る請求項１に記載の記録テープカートリッジは、上ケースと下ケースとで構成され、記録テープが巻装されたリールを単一で収容するケースと、前記記録テープの端部に直接又はリーダーテープを介して取り付けられ、両端に鍔部が形成されたリーダー部材と、前記ケースに形成され、前記リーダー部材を引き出すための開口と、前記上ケース及び前記下ケースに凹状に形成され、前記開口の近傍で前記リーダー部材の鍔部の外面を保持する保持部と、前記保持部が凹状とされることで前記上ケース及び前記下ケースに形成され、前記保持部に保持された前記リーダー部材の鍔部の周面が対向する平面視略「Ｕ」字状の壁面と、前記壁面の少なくとも一方の高さ方向先端部から前記リーダー部材引出側へ延設され、前記リーダー部材が前記保持部に保持されたときに、前記鍔部の内面側で、該鍔部に非接触でオーバーラップする張出部と、前記張出部がアンダーカット部にならないようにするために、前記壁面よりも前記リーダー部材引出側の前記保持部に形成され、前記リーダー部材が該保持部に保持されたときに、前記鍔部の一部が露出する貫通孔と、を有することを特徴としている。
【手続補正３】
【補正対象書類名】明細書
【補正対象項目名】００１０
【補正方法】変更
【補正の内容】
【００１０】
また、請求項２に記載の記録テープカートリッジは、請求項１に記載の記録テープカートリッジにおいて、前記張出部の前記リーダー部材引出側の内面が、面取り加工又はフィレット加工されていることを特徴としている。
【手続補正４】
【補正対象書類名】明細書
【補正対象項目名】００１１
【補正方法】変更
【補正の内容】
【００１１】
請求項２に記載の発明によれば、リーダー部材が傾いた状態で、保持部に戻されても、その鍔部が張出部に干渉しないで（スタックしないで）収容される。したがって、リーダー部材は、張出部があっても安定して着脱可能となる。
【手続補正５】
【補正対象書類名】明細書
【補正対象項目名】００１２
【補正方法】変更
【補正の内容】
【００１２】
また、請求項３に記載の記録テープカートリッジは、請求項２に記載の記録テープカートリッジにおいて、前記張出部の前記リーダー部材引出側の周面に、直線部が形成されていることを特徴としている。
【手続補正６】
【補正対象書類名】明細書
【補正対象項目名】００１３
【補正方法】変更
【補正の内容】
【００１３】
請求項３に記載の発明によれば、張出部の強度を確保することができる（張出部の強度を損なわないようにできる）。